(57)【要約】      （修正有）【課題】巻尺モジュールの交換、メンテナンスが容易である利点を有する、持ち運び携帯用のデュアルシステム測定装置を提供する。【解決手段】主体を有し、該主体が発射端を設け、少なくとも１つの測距ビームを目標物へ発射し、目標物から反射された測距ビームを受けて測定を行うことができるレーザ測距モジュール１０と、殻体内に巻き取り可能な測定巻尺を設け、且つ該殻体が開口を設け、測定巻尺の端部を該開口から抽出又は巻き取りさせることができる巻尺モジュール２０と、レーザ測定モジュール１０及び巻尺モジュール２０の隣り合う面に設置され、レーザ測距モジュール１０及び巻尺モジュール２０を活動可能に一体に組み合わせる接合アセンブリと、を含む。これにより、使用及び携帯が便利となる。【選択図】図１
0003185168.tif 000002
【実用新案登録請求の範囲】
【請求項１】
主体を有し、該主体が発射端を設け、少なくとも１つの測距ビームを目標物へ発射し、目標物から反射された測距ビームを受けて測定を行うことができるレーザ測距モジュールと、
殻体内に巻き取り可能な測定巻尺を設け、且つ該殻体が開口を設け、測定巻尺の端部を該開口から抽出又は巻き取りさせることができる巻尺モジュールと、
該レーザ測定モジュール及び巻尺モジュールの隣り合う面に設置され、該レーザ測距モジュール及び巻尺モジュールを活動可能に一体に組み合わせる接合アセンブリと、
を含むデュアルシステム測定装置。
【請求項２】
前記主体の発射端に相反する一端に電池ケースを設け、該電池ケースは、主体とＬ型を成すように設置される請求項１に記載のデュアルシステム測定装置。
【請求項３】
前記接合アセンブリは、該主体表面に設けられるスライドレール及び該殻体表面に設けられる嵌合溝を含み、該スライドレールは、Ｔ型断面を呈し、且つ該嵌合溝は、スライドレールを嵌合させ、該レーザ測距モジュール及び巻尺モジュールを活動的に組み合わせることができ、また、該スライドレールは、定位溝を凹設し、且つ該嵌合溝は、定位溝と嵌合可能な嵌合部材を対応して設ける請求項１に記載のデュアルシステム測定装置。
【請求項４】
前記嵌合部材は、嵌合溝溝面に局部突出する弾性部材である請求項３に記載のデュアルシステム測定装置。
【請求項５】
前記殻体は、測定巻尺方向へ滑動可能な巻尺定位部材及びフック部材を設け、該測定巻尺の巻き取り動作状態を制御することができる請求項１に記載のデュアルシステム測定装置。
【請求項６】
前記主体の発射端及び殻体の開口は、同一方向へ設置される請求項１に記載のデュアルシステム測定装置。
【考案の詳細な説明】
【技術分野】
【０００１】
本考案は、持ち運び携帯用の測定装置に関し、特に、使用及び携帯に便利である目的を達成し、巻尺モジュールの交換、メンテナンスが容易である利点を有するレーザ測距モジュール及び巻尺モジュールから構成されるデュアルシステム測定装置に関する。
【背景技術】
【０００２】
従来の持ち運び携帯式の巻尺は、価格が安く、使用方式が簡単便利であり、ただ巻尺を簡単に引き出せば、表面のメモリに基づき、長さの測定を行うことができ、特に、短距離を測定することに便利である。２〜３メートル以上の測定は、巻尺が撓み、湾折し易い、基準面が平滑でない、その上の物体の阻害等の要因により誤差を生じ易い。
【０００３】
従来のレーザ測距計は、測距ビームを目標物へ発射し、目標物が反射した測距ビームを受けることを利用し、測定を行い、精度が高く、測定速度が速い等の利点を有するが、レーザ測距計は、大部分が長距離測量に使用するよう設計され、且つレーザ測距計の目標物は、反射基準面を有する必要があり、短距離又は反射基準面を有さずに操作する時、その利便性を実現することができない。使用者は、２種の測量装置を同時に携帯するが可能ではなるが、使用、ピックアップ、携帯において、比較的不便である。
【先行技術文献】
【特許文献】
【０００４】
【特許文献１】特開２０１３−３２９５１号公報
【考案の概要】
【考案が解決しようとする課題】
【０００５】
従来技術の欠陥を綜合すると、大部分の従来の持ち運び携帯式の巻尺は、短距離の測定に便利であるが、中長距離では、巻尺が撓み湾折して誤差が生じ易い。レーザ測距計は、多くが長距離測定に使用するよう設計され、且つレーザ測距計は、反射基準面を必要とし、短距離又は反射基準面が無い操作時は、その利便性を実現できない。上記の欠陥を解決する為、本考案が提示するデュアルシステム測定装置の試案は、使用便利で亜あり、携帯に便利であり、巻尺モジュールを交換し易いという利点を有する。
【課題を解決するための手段】
【０００６】
本考案のデュアルシステム測定装置は、
主体を有し、該主体が発射端を設け、少なくとも１つの測距ビームを目標物へ発射し、目標物から反射された測距ビームを受けて測定を行うことができるレーザ測距モジュールと、
殻体内に巻き取り可能な測定巻尺を設け、且つ該殻体が開口を設け、測定巻尺の端部を該開口から抽出又は巻き取りさせることができる巻尺モジュールと、
該レーザ測定モジュール及び巻尺モジュールの隣り合う面に設置され、該レーザ測距モジュール及び巻尺モジュールを活動可能に一体に組み合わせる接合アセンブリと、
を含む。
【０００７】
本考案の目的は、該接合アセンブリが該レーザ測距モジュール及び巻尺モジュールを活動可能に一体に組み合わせ、短距離は、巻尺モジュールで直接測定し、中長距離は、レーザ測距モジュールで測定することができ、更に、レーザ測距モジュール及び巻尺モジュールを一体に組み合わせた後、体積が小さく、携帯及び使用に便利である利点を有するようにすることにある。
【０００８】
本考案のもう１つの目的は、該巻尺モジュールが活動交換組み立て可能な設計を採用し、巻尺モジュールが経常的巻き取りにより尺面が曖昧になるか、巻き取り機能が故障した時、新しい巻尺モジュールに直接交換でき、メンテナンスが簡単で便利であるようにすることにある。
【考案の効果】
【０００９】
本考案のデュアルシステム測定装置は、該接合アセンブリが該レーザ測距モジュール及び巻尺モジュールを活動可能に一体に組み合わせ、短距離は、巻尺モジュールで直接測定し、中長距離は、レーザ測距モジュールで測定することができ、更に、レーザ測距モジュール及び巻尺モジュールを一体に組み合わせた後、体積が小さく、携帯及び使用に便利である利点を有する。
【図面の簡単な説明】
【００１０】
【図１】本考案の立体外観説明図である。
【図２】本考案の立体外観説明図である。
【図３】本考案の側面平面説明図である。
【図４】本考案の組み合わせ動作説明図である。
【図５】本考案のレーザ測距モジュール動作説明図である。
【図６】本考案の巻尺モジュール動作説明図である。
【考案を実施するための形態】
【００１１】
上記考案の内容欄中に示される中心的思想を説明する為、具体的実施例により表現する。実施例において、各種異なる物体は、説明に適した比率、寸法、変形量又は変位量により描き、実際の部材の比率に基づき製図されるものではない。以下の説明において、類似する部材は、同一の編集番号で示す。
【００１２】
図１〜図３に示すように、本考案のデュアルシステム測定装置は、以下を含む：レーザ測距モジュール１０は、主体１１を有し、該主体１１に発射端１２を設け、少なくとも１つの測距ビーム９０を目標物９１へ発射し、目標物９１から反射される測距ビーム９０を受けて測定を行うことができ（図５参照）、そのうち、該主体１１は、発射端１２に相反する一端に電池ケース１３を設け、電池を安置し、レーザ測距モジュール１０に電力を供給させ、且つ該電池ケース１３は、主体１１とＬ型をなすよう設置される。
【００１３】
巻尺モジュール２０は、殻体２１内に巻き取り可能な測定巻尺２２を設け、且つ該殻体２１に開口２３を設け、測定巻尺２２の端部を該開口２３から抽出又は巻き取りすることができる。そのうち、該殻体２１は、測定巻尺２２方向へ滑動移動可能な巻尺定位部材２４を設け、該測定巻尺２２の巻き取り動作状態を制御することができる。該殻体２１は、フック部材２５を設ける。また、該主体１１の発射端１２及び殻体２１の開口２３は、同一方向に設置される。
【００１４】
接合アセンブリ３０は、該レーザ測距モジュール１０及び巻尺モジュール２０の隣り合う面に設置され、該レーザ測距モジュール１０及び巻尺モジュール２０を活動可能に一体に組み合わせさせ、好適実施例では、図２に示すように主体１１のＬ型内側縁に設けられ、本考案に一体化の設計を形成させる。そのうち、該接合アセンブリ３０は、該主体１１表面に設けられるスライドレール３１及び該殻体２１表面に設けられる嵌合溝３２を含み、該スライドレール３１は、Ｔ型切断面を呈し、該嵌合溝３２は、互いに対応した形状である。該嵌合溝３２を利用し、スライドレール３１を嵌合させることができ、該レーザ測距モジュール１０及び巻尺モジュール２０を活動的に組み合わせる。また、該スライドレール３１上に定位溝３２１を凹設し、且つ該嵌合溝３２に定位溝３１１１と嵌合可能な嵌合部材３２１を対応して設け、該嵌合部材３２１は、嵌合溝３２溝面に局部的に突出する弾性片であり、スライドレール３１及び嵌合溝３２の接合時、弾性嵌合固定効果を発生する。
【００１５】
上記本考案の詳細構造を理解した後、本願の動作原理に対し、以下に逐一詳細な説明を行う。
図４に示すように、該接合アセンブリ３０は、主体１１のＬ型内側縁に設けられ、且つレーザ測距モジュール１０及び巻尺モジュール２０の隣り合う面であり、レーザ測距モジュール１０及び巻尺モジュール２０の組み合わせ時、該スライドレール３１を嵌合溝３２と相対させ、スライドレール３１を嵌合溝３２の軸方向に沿って滑り込ませ、Ｔ型断面の設計により、レーザ測距モジュール１０及び巻尺モジュール２０を相互に組み合わせることができる。また、スライドレール３１が浴槽３２の軸方向に沿って滑り込む時、嵌合部材３２１は、スライドレール３１により溝面内に弾性回復し、定位溝３１１内に入り、嵌合し、弾性定位の力量を提供し、スライドレール３１及び嵌合溝３２が再度滑り込み、外れることを防止する。反対に、巻尺モジュール２０がレーザ測距モジュール１０から外される時、スライドレール３１/嵌合溝３２の軸方向へ押し動かし、ただ押し動かす力量が嵌合部材３２１の弾性固定力量より大きければ、レーザ測距モジュール１０及び巻尺モジュール２０を分離させることができる。
【００１６】
該接合アセンブリ３０は、該レーザ測距モジュール１０及び巻尺モジュール２０を活動可能に一体に組み合わせた後、該レーザ測距モジュール１０の主体１１が電池ケース１３とＬ型の設計を成し、本考案に体積が小さく、携帯に便利等の利点をもたせる。且つ巻尺モジュール２０のフック部材２５が使用者は、本考案をベルト又は衣服等のその他の位置に掛け、随時携帯及び使用することに便利である。
【００１７】
また、図５に示すように、本考案の進行中、長距離測定時、レーザ測距モジュール１０を測定でき、ただ発射端１２が発射する測距ビーム９０が目標物９１に至り、目標物９１が反射した測距ビーム９０を受けるだけで、目標物９１との距離をそくていすることができ、往復移動の困難を回避することができる。短距離測定及び/又は反射基準面無しで操作する時、巻尺モジュール２０により直接測定でき、図６に示すように、卓面の長さが、距離が短く、反射基準面が無いので、ただ測定巻尺２２を引き出すだけで、その上のメモリにより測定を行うことができる。
【００１８】
本考案の巻尺モジュール２０は、活動交換組み立て可能な設計を採用し、巻尺モジュール２０が経常的な巻き取りで尺面が曖昧になるか、巻き取り機能が故障する時、新しい巻尺モジュール２０に直接交換でき、メンテナンスが簡単で、便利である利点を具える。
【００１９】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２０】
１０  レーザ測距モジュール
１１  主体
１２  発射端
１３  電池ケース
２０  巻尺モジュール
２１  殻体
２２  測量巻尺
２３  開口
２４  巻尺定位部材
２５  フック部材
３０  接合アセンブリ
３１  スライドレール
３１１  定位溝
３２  嵌合溝
３２１  嵌合部材
９０  測距ビーム
９１  目標物
【図１】
0003185168.tif 000003
【図２】
0003185168.tif 000004
【図３】
0003185168.tif 000005
【図４】
0003185168.tif 000006
【図５】
0003185168.tif 000007
【図６】
0003185168.tif 000008